(57)【要約】      （修正有）【課題】室内機の冷房運転時に、吹出口から吹出される冷気流を遠方まで届くようにして快適性を向上するようにした空気調和機を提供する。【解決手段】室内の空気を吸込む吸込口１１と、室内に空気を吹出す吹出口１２と、吹出口１２に取付けられるディフューザ５と、吸込口１１から吸込まれた室内の空気を冷媒と熱交換する熱交換器２と、吸込口１１から室内の空気を吸込み熱交換器２で冷媒と熱交換された空気を吹出口１２から室内に送風するメイン送風ファン３とを設けた空気調和機であって、吸込口１１から吸込む空気とは別に室内の空気を吸込む吸込部と、ディフューザ５よりも本体１の背面側に配置され室内に空気を送風する送風口１０１と、吸込部から室内の空気を吸込み送風口１０１から室内に送風するサブ送風ファンとを備え、送風口１０１から室内に送風される気流Ａはディフューザ５の下面側５２に沿って室内に送風される。【選択図】図２
2014234963.tif 000002
【特許請求の範囲】
【請求項１】
本体と、前記本体の上部に形成され室内の空気を吸込む吸込口と、前記本体の下部に形成され室内に空気を吹出す吹出口と、前記吹出口に回動可能に取付けられるディフューザと、前記吸込口から吸込まれた室内の空気を冷媒と熱交換する熱交換器と、前記吸込口から室内の空気を吸込み前記熱交換器で冷媒と熱交換された空気を前記吹出口から室内に送風するメイン送風ファンとを設けた空気調和機において、
前記吸込口から吸込む空気とは別に室内の空気を吸込む吸込部と、前記ディフューザよりも前記本体の背面側に配置され室内に空気を送風する送風口と、前記吸込部から室内の空気を吸込み前記送風口から室内に送風するサブ送風ファンとを備え、
前記送風口から室内に送風される気流は前記ディフューザの下面側に沿って室内に送風されることを特徴とする空気調和機。
【請求項２】
前記サブ送風ファンは、前記吸込部から吸込まれた室内の空気を送風する前記送風口が形成された送風ダクトに連結され、前記送風口は、前記送風ダクトの内部空間を形成する壁から連続し、前記壁が前記ディフューザの下面側に向かって狭くなったノズル形状であり、
前記送風口から室内に送風される気流の速度は、前記吹出口から室内に吹出される気流の速度よりも速くなるようにしたことを特徴とする請求項１記載の空気調和機。
【発明の詳細な説明】
【技術分野】
【０００１】
本発明は、空気調和機の室内機に係わり、特に、冷房運転時に、快適な空気調和を実現することができる室内機に関する。
【背景技術】
【０００２】
従来、空気調和機の室内機は、本体に形成される吹出口に配置されたディフューザを回動することにより、室内に向けて吹出口から吹出す気流を水平方向と下方向に吹き分けるものがある（例えば、特許文献１参照）。このような空気調和機では、室内機の冷房運転時、ディフューザを水平にすると吹出口から吹出す気流を水平方向に導くことができるが、冷気は温度が低く比重が大きいため、吹出された冷気の気流（以下、冷気流）は直ぐに床面に落ちてしまうことになる。そうすると、冷気流は室内機が設置された室内の遠方まで行き渡らず、床面上に居るユーザーに吹出口からの冷気が直接当たり、不快感を与えてしまい、快適な空気調和を実現できない。
【先行技術文献】
【特許文献】
【０００３】
【特許文献１】特開平７−２４８１５３号公報
【発明の概要】
【発明が解決しようとする課題】
【０００４】
本発明は上記問題点に鑑み、室内機の冷房運転時に、吹出口から室内に吹出される冷気流を遠方まで届くようにして快適性を向上するようにした空気調和機を提供することを目的とする。
【課題を解決するための手段】
【０００５】
上記課題を解決するため、本発明の空気調和機は、本体と、本体の上部に形成され室内の空気を吸込む吸込口と、本体の下部に形成され室内に空気を吹出す吹出口と、吹出口に回動可能に取付けられるディフューザと、吸込口から吸込まれた室内の空気を冷媒と熱交換する熱交換器と、吸込口から室内の空気を吸込み熱交換器で冷媒と熱交換された空気を吹出口から室内に送風するメイン送風ファンとを設けたものにおいて、吸込口から吸込む空気とは別に室内の空気を吸込む吸込部と、ディフューザよりも本体の背面側に配置され室内に空気を送風する送風口と、吸込部から室内の空気を吸込み送風口から室内に送風するサブ送風ファンとを備え、送風口から室内に送風される気流はディフューザの下面側に沿って室内に送風されることを特徴とする。
【発明の効果】
【０００６】
本発明の空気調和機によれば、冷房運転時にディフューザを水平にし、吹出口から吹出す気流を水平方向に吹出す場合、送風口から室内に送風される室温の気流がディフューザの下面側に沿って室内に送風されるので、吹出口から室内に吹出される冷気流の下面側に送風口から送風される気流を届けることができる。よって、熱交換器で冷媒と熱交換され室内に吹出される冷気流を遠方まで届くようにすることができ、ユーザーに対して快適性を向上することができる。
【図面の簡単な説明】
【０００７】
【図１】本発明による空気調和機の室内機を示す分解斜視図である。
【図２】本発明による空気調和機の室内機の吹出口から水平方向に吹出す気流を示す説明図である。
【図３】本発明による空気調和機の室内機の吹出口から床面方向に吹出す気流を示す説明図である。
【発明を実施するための形態】
【０００８】
以下、本発明の実施形態を添付図面に基づき詳細に説明する。本実施形態による空気調和機の室内機として、図１乃至図３に示すように、壁掛型の室内機を例に挙げて説明する。図１および図２に示すように、室内機は、左右方向に長い箱状の本体１の上部に室内の空気を吸込む吸込口１１が形成され、本体１の下部に室内に空気を吹出す吹出口１２が形成されている。本体１の内部には、図２および図３に示すように、吸込口１１と吹出口１２とを結ぶ空気通路１３に熱交換器２、メイン送風ファン３がそれぞれ配置されている。熱交換器２は、吸込口１１から吸込まれた室内の空気を冷媒と熱交換するものであり、メイン送風ファン３は、例えば、クロスフローファンからなり、回転軸を介して連結されるメインファンモータ（図示省略）によって回転駆動される。この室内機は、メイン送風ファン３の回転により吸込口１１から室内の空気を吸込み、熱交換器２で冷媒と熱交換された空気を吹出口１２から室内に吹出す構造になっている。
【０００９】
吹出口１２には、上下風向板４とディフューザ５の両端がそれぞれ軸支され、上下風向板４とディフューザ５とが回動可能に取付けられている。なお、吹出口１２の上下風向板４の上流側には、左右風向板が取付けられていてもよい。上下風向板４は、板状で吹出口１２と同じ幅に形成され、吹出口１２の上部に取付けられ、室内に吹出す空気の風向きを上下に偏向するものである。ディフューザ５は、上下風向板４と同様に略板状で吹出口１２と同じ幅に形成され、空気通路１３を形成するリアガイダ１４の下部先端の延長線上に当たる箇所、つまり、吹出口１２の下部に取付けられ、冷房運転と暖房運転の際に上下風向板４と連動して吹出口１２の下部の形状を変更するものである。このディフューザ５は、回転軸および歯車を介して連結される駆動モータ（図示省略）によって回動される。図２に示すディフューザ５は冷房運転時の位置を示しており、ディフューザ５を水平にし、吹出口１２から吹出す冷気が水平方向に吹出されるようにする。図３に示すディフューザ５は暖房運転時の位置を示しており、冷房運転時の位置よりもディフューザ５を下向きにし、吹出口１２から吹出す暖気が床面方向に吹出されるようにする。
【００１０】
また、本体１の内部には、図１に示すように、熱交換器２の右側面側に電装品箱６が配置され、熱交換器２の左側面側にファンケーシング７に収納されたサブ送風ファン８が配置されている。サブ送風ファン８は、例えば、シロッコファンからなり、回転軸を介して連結されるサブファンモータ８１によって回転駆動される。サブ送風ファン８はメイン送風ファン３と回転軸が同軸状に配置されており、本体１の奥行き寸法が大型化しないようになっている。サブ送風ファン８が収納されたファンケーシング７には、吸込口１１から吸込む空気とは別に室内の空気を吸込む吸込部７１と、吸込部７１から吸込まれた室内の空気を吹出す吹出部７２が形成されている。さらに、本体１には、図２および図３に示すように、ディフューザ５よりも背面側に室内に空気を送風するための送風口１０１が形成されている。吹出部７２には、吹出される室内の空気を接続管９を介して送風する送風ダクト１０が連結されており、送風ダクト１０には、送風口１０１が形成されている。
【００１１】
送風ダクト１０は、サブ送風ファン８の回転によって吸込部７１から吸込まれて吹出部７２から吹出された室内の空気を送風口１０１まで送風するものであり、リアガイダ１４の背面側に形成されたベース部１５の内側の空きスペースに配置されている。送風口１０１は、吹出口１２の幅と同じ幅に形成されている。また、送風口１０１は、送風ダクト１０の内部空間を形成する壁１０２から連続し、この壁１０２がディフューザ５の下面側５２に向かって狭くなったノズル形状になっている。送風口１０１から室内に送風される気流Ａの速度は、送風口１０１に連続するノズル形状の壁１０２と、予め定めたサブ送風ファン８の回転数によって、吹出口１２から室内に吹出される気流Ｂや気流Ｃの速度よりも速くなるように設定されている。
【００１２】
次に、送風口１０１から送風される気流による作用について説明する。図２および図３に示すように、サブ送風ファン８の回転により室内の空気が送風ダクト１０を通って送風口１０１から送風される。送風口１０１から室内に送風される気流Ａは、送風口１０１がディフューザ５の下面側５２に向かって狭くなったノズル形状の送風ダクト１０の壁１０２に連続し、サブ送風ファン８の回転数が予め定められているため、気流Ａの速度が気流Ｂや気流Ｃの速度よりも速くなるように、ディフューザ５の下面側５２に沿って送風される。
【００１３】
冷房運転時には、図２に示すように、送風口１０１から室内に送風される室温の気流Ａは、水平にしたディフューザ５の下面側５２に沿って送風される。この結果、熱交換器２で冷媒と熱交換され吹出口１２から室内に吹出される冷気流Ｂは、送風ダクト１０からの室温の気流Ａに乗って誘引され、比重が大きくても直ぐに床面に落ちてしまうことなく、室内の遠方まで確実に届くようにすることができる。これにより、床面上に居るユーザーに吹出口１２からの冷気流Ｂが直接当たらないため、ユーザーに対して快適性を向上することができる。
【００１４】
なお、暖房運転時には、図３に示すように、送風口１０１から室内に送風される室温の気流Ａは、下向きにしたディフューザ５の下面側５２に沿って送風するようにしてもよい。この結果、熱交換器２で冷媒と熱交換され吹出口１２から室内に吹出される暖気流Ｃは、送風ダクト１０からの室温の気流Ａに乗って誘引され、比重が小さくても床面まで確実に届くようにすることができる。これにより、床面上に居るユーザーに吹出口１２からの暖気流Ｃが当たり、ユーザーに対して快適性を向上することができる。
【００１５】
以上説明してきた実施形態による空気調和機によれば、吸込口１１から吸込む空気とは別に室内の空気を吸込む吸込部７１と、ディフューザ５よりも本体１の背面側に配置され室内に空気を送風する送風口１０１と、吸込部７１から室内の空気を吸込み送風口１０１から室内に送風するサブ送風ファン８とを備え、送風口１０１から室内に送風される気流Ａはディフューザ５の下面側５１に沿って室内に送風される。したがって、冷房運転時に、熱交換器２で冷媒と熱交換され吹出口１２から室内に吹出される冷気流Ｂを送風口１０１から室内に送風される室温の気流Ａに乗せて遠方まで届くようにすることができ、ユーザーに対して快適性を向上することができる。また、暖房運転時に、熱交換器２で熱交換され吹出口１２から室内に吹出される暖気流Ｃを送風口１０１から室内に送風される室温の気流Ａに乗せて床面まで届くようにすることができる。
【００１６】
また、サブ送風ファン８は、吸込部７１から吸込まれた室内の空気を送風する送風口１０１が形成された送風ダクト１０に連結され、送風口１０１は、送風ダクト１０の内部空間を形成する壁１０２から連続し、壁１０２がディフューザ５の下面側５２に向かって狭くなったノズル形状であり、送風口１０１から室内に送風される気流Ａの速度は、吹出口１２から室内に吹出される気流Ｂや気流Ｃの速度よりも速くなるようにした。したがって、冷房運転時に、熱交換器２で冷媒と熱交換され吹出口１２から室内に吹出される冷気流Ｂは、室温の気流Ａに乗って誘引され、遠方まで確実に届くようにすることができる。なお、暖房運転時に、熱交換器２で冷媒と熱交換され吹出口１２から室内に吹出される暖気流Ｃは、室温の気流Ａに乗って誘引され、床面まで確実に届くようにすることができる。また、送風ダクト１０がベース部１５の内側の空きスペースに配置され、送風口１０１が吹出口１２の幅と同じ幅に形成されているため、ディフューザ５の下面側５１に沿って送風口１０１から室内に気流Ａを送風するために、本体１の高さ寸法や幅寸法が大型化しないようにすることができる。
【符号の説明】
【００１７】
１  本体
１０  送風ダクト
１０１  送風口
１０２  壁
１１  吸込口
１２  吹出口
１３  空気通路
１４  リアガイダ
１５  ベース部
２  熱交換器
３  メイン送風ファン
４  上下風向板
５  ディフューザ
５１  下面側
６  電装品箱
７  ファンケーシング
７１  吸込部
７２  吹出部
８  サブ送風ファン
８１  サブファンモータ
９  接続管
Ａ  送風口１０１から室内に送風される室温の気流
Ｂ  吹出口１２から室内に吹出される冷気流
Ｃ  吹出口１２から室内に吹出される暖気流
【図１】
2014234963.tif 000003
【図２】
2014234963.tif 000004
【図３】
2014234963.tif 000005